(57)【要約】【課題】工期の短縮化、施工コストの低廉化、省力化が可能な積木式堰堤を提供する。【解決手段】正面１ａが後方に上り傾斜状で、上下、左右の各面１ｂが平行状であり、又背面１ｃが垂直状の六面体に形成されている枠形状のブロック材１を多数備える。このブロック材１を、正面１ａを面一にさせて側面視台形状に積み上げ、内部に中詰め材２を充填する。【選択図】      図１
2004176395.tif 000002
【特許請求の範囲】
【請求項１】
正面が後方に上り傾斜状で、上下、左右の各面が平行状に、又背面が垂直状の六面体に形成されている枠形状のブロック材を多数備え、このブロック材が正面を面一にさせて側面視台形状に積み上げられ、内部に中詰め材が充填されていることを特徴とする積木式堰堤。
【請求項２】
請求項１記載の積木式堰堤であって、ブロック材が、背中合わせに連結され、側面視台形状に積み上げられていることを特徴とする積木式堰堤。
【請求項３】
正面及び背面が互いの側に上り傾斜状に、上下、左右の各面が平行状の六面体に形成されている枠形状のブロック材を多数備え、このブロック材が正面及び背面を面一にさせて側面視台形状に積み上げられ、内部に中詰め材が充填されていることを特徴とする積木式堰堤。
【請求項４】
請求項１又は２記載の積木式堰堤に用いる枠形状のブロック材であって、正面が後方に上り傾斜状で、上下、左右の各面が平行状に、又背面が垂直状の六面体に形成されていることを特徴とする枠形状のブロック材。
【請求項５】
請求項３記載の積木式堰堤に用いる枠形状のブロック材であって、正面及び背面が互いの側に上り傾斜状に、上下、左右の各面が平行状の六面体に形成されていることを特徴とする枠形状のブロック材。
【発明の詳細な説明】
【０００１】
【発明の属する技術分野】
本発明は、河川や渓谷に水流や土砂を塞き止めるために横断状に構築する堰堤に関し、更に詳しくは枠形状のブロック材を積み上げて構築する積木式堰堤、及びこれに用いる枠形状のブロック材に関するものである。
【０００２】
【従来の技術】
従来この種の堰堤としては、例えばコンクリートブロックを積み上げたり、現場で型枠を組み、この型枠にコンクリートを打設して構築したり、又間伐材等の木材を井桁状に組み、ボルトやナットで連結すると共に、その内部に石等を充填して構築するものが知られている（例えば特許文献１、同２参照）。
【０００３】
【特許文献１】
特開平８−１５１６３６号公報
【特許文献２】
特開平１１−３０３０４４号公報
【０００４】
【発明が解決しようとする課題】
ところで堰堤の構築箇所は、渓谷等の足場の悪い、又気象条件が変わり易い場所である。従って堰堤は、工事に係る手間暇を軽減でき、低コストで迅速に構築できるよう形成されているのが望ましい。
【０００５】
しかるに従来は、上記の通り、現場でコンクリートブロックを積み上げたり、コンクリートを打設して構築するものであったから、従来例によるとコンクリートの乾燥に時間がかかり、工期が長くなり、コストが増大するのを避けられなかった。
又特許文献１、２記載の従来例の場合は、上記の通り、間伐材等を現場で井桁状に組み上げて構築するものであったから、この場合も構築作業に多大な手間暇やコストがかかる、という問題点があった。
【０００６】
本発明は、このような従来技術の問題点に鑑み、提案されたものである。
従って本発明の技術的課題は、工期の短縮化、施工コストの低廉化、省力化が可能になるよう形成した積木式堰堤、及びこの堰堤に用いる、簡単、省力、低コスト、迅速施工を可能にする枠形状のブロック材を提供することにある。
【０００７】
【課題を解決するための手段】
本発明は、上記の課題を解決するために、次のような技術的手段を採る。
【０００８】
即ち本発明は、図１等に示されるように、正面１ａが後方に上り傾斜状で、上下、左右の各面１ｂが平行状に、又背面１ｃが垂直状の六面体に形成されている枠形状のブロック材１を多数備え、このブロック材１が正面１ａを面一にさせて側面視台形状に積み上げられ、内部に中詰め材２が充填されていることを特徴とする（請求項１）。
【０００９】
枠形状のブロック材１の形成材料としては、例えば間伐材等の木材のほか、鋼材やコンクリート等がある。間伐材を使用する場合は、資源を活用でき、しかも低コスト化を一層図ることができる、という利点がある。枠形状のブロック材１は、安定した状態で且つ容易に積み重ねることができるよう、断面方形の角材で形成されるのが好ましい。ここで、側面視台形状とは、河川や渓谷の横断方向に沿って見た側面が台形状に形成されている、ということを意味する。又ここで、中詰め材２としては、栗石等の石材や土砂等がある。ブロック材１が例えばコンクリート製の場合は、中詰め材２としてコンクリートが、例えば栗石等と一緒に充填、打設されるのでも良い。
【００１０】
又この本発明の場合は、図１等に示されるように、ブロック材１が、背中合わせに連結され、側面視台形状に積み上げられているのが好ましい（請求項２）。
【００１１】
なぜならこれによると、ブロック材１同士を、介装材を使用することなく連結でき、少部品で簡単に構築できるからである。
【００１２】
又本発明は、図９に示されるような、正面１ａ及び背面１ｃが互いの側に上り傾斜状に、上下、左右の各面１ｂが平行状の六面体に形成されている枠形状のブロック材１を多数備え、このブロック材１が図１０に示されるように、正面１ａ及び背面１ｃを面一にさせて側面視台形状に積み上げられ、内部に中詰め材２が充填されていることを特徴とするのでも良い（請求項３）。
【００１３】
枠形状のブロック材１の形成材料は、上例と同様である。又本発明の場合も、枠形状のブロック材１は上例と同様の理由から、断面方形の角材が好ましい。側面視台形状とは、上例と同様、河川や渓谷の横断方向に沿って見た側面が台形状に形成されている、ということを意味する。中詰め材２としては、上例と同様、栗石等の石材や土砂等がある。
【００１４】
又本発明の堰堤を構築するのに用いる枠形状のブロック材１としては、図５等に示されるように、正面１ａが後方に上り傾斜状で、上下、左右の各面１ｂが平行状に、又背面１ｃが垂直状の六面体に形成されていることを特徴とするものがある（請求項４）。
【００１５】
本発明の場合、ブロック材１の正面１ａの勾配は任意である。ブロック材１の形成材料は、間伐材等の木材や、鋼材、コンクリート等がある。ブロック材１を形成する棒材は、丸太でも良いが、安定した状態で容易に積み重ねることができるよう、断面方形の角材が好ましい。
【００１６】
又請求項３記載の堰堤を構築するのに用いる枠形状のブロック材１としては、正面１ａ及び背面１ｃが互いの側に上り傾斜状に、上下、左右の各面１ｂが平行状の六面体に形成されていることを特徴とするものがある（請求項５）。
【００１７】
本発明の場合、ブロック材１の正面１ａ及び背面１ｃの勾配は、任意であり、同一に選定される場合に限定されるものではない。ブロック材１の形成材料や断面形状は、上例と同様である。
【００１８】
【発明の実施の形態】
以下、本発明の好適な一実施形態を添付図面に従って説明する。
【００１９】
図１等において、１は、正面１ａが後方に上り傾斜状で、上下、左右の各面１ｂが平行状に、又背面１ｃが垂直状の六面体に形成されている枠形状のブロック材である。この実施形態の本発明は、このブロック材１を多数備え、正面１ａを面一にさせて例えば背中合わせに連結され、側面視台形状に積み上げられると共に、内部に中詰め材２が充填されている。
【００２０】
枠形状のブロック材１は、この実施形態では間伐材の断面方形の枠材１ｄがネジ３（図５等参照）で止め付けられ、高さが１ｍに形成されている。４は、隣り合うブロック材１を連結するための、ボルト、ナット等の止め具である。又１ｅは、補強用のリブ材である。このリブ材１ｅは、正面１ａ、背面１ｃ、上下、左右の各面１ｂの適宜位置に、枠材１ｄに架け渡されてネジ３で止め付けられている。そしてブロック材１は、この実施形態では図２に示されるように、レンガ積みされ、本発明の堰堤は、側面視台形状に形成されている。
【００２１】
上記の中詰め材２は、この実施形態では土砂が使用されている。又この本発明では、表面の緑化を図るため、積み上げられたブロック材１の全体が緑化シート５（図２参照）で被覆されている。緑化シート５は、椰子繊維等の天然繊維で編まれたネットに現場の植生に合った種子が例えば肥料と共にはり付けられて形成されている。
【００２２】
次に本発明の堰堤の施工例を説明する。
【００２３】
先ず作業者は、ブロック材１の背面１ｃを突き合わせて河川等の横断方向にブロック材１を並べて連結する。この場合、渓谷の河川等は、両側が通常傾斜していることから、図３に示されるように、堰堤の両側位置６は平面視で段逃げさせるのが良い。ブロック材１は、ボルト、ナット等の止め具４で連結して側面視台形状に積み上げ、上面の高さを同一にさせる。この場合、上面の中央部は、図２〜図４に示されるように、通水路７としてブロック材１を連結しないで開けておくのが良い。
【００２４】
以上の処において、ブロック材１の形成材料や、正面１ａの傾斜角は任意である。又ブロック材１は、リブ材１ｅに代え、或いはリブ材１ｅと共に筋交いが設けられ、補強されているのでも良い。
【００２５】
次に請求項３記載の本発明の好適な一実施形態を説明する。
【００２６】
この本発明は、図９に示されるような、正面１ａ及び背面１ｃが互いの側に上り傾斜状に、上下、左右の各面１ｂが平行状の六面体に形成されている枠形状のブロック材１を多数備えてなる。そしてこの本発明は、図１０に示されるように、枠形状のブロック材１が正面１ａ及び背面１ｃを面一にさせて側面視台形状に積み上げられ、内部に中詰め材２が充填されている。
【００２７】
枠形状のブロック材１は、断面方形の間伐材の枠材１ｄをネジ３で連結することで形成され、正面１ａ及び背面１ｃの勾配はこの実施形態では同一に選定されている。又ブロック材１の高さは、上例と同様、１ｍに選定され、ブロック材１同士はボルト、ナット等の止め具４で連結されている。１ｅは、補強用のリブ材である。このリブ材１ｅは、正面１ａ、背面１ｃ、上下、左右の各面１ｂの例えば中央部に、枠材１ｄに架け渡されてネジ３で固定されている。又中詰め材２は、この実施形態では栗石が使用されている。積み上げられたブロック材１の表面は、緑化シート５（図１０参照）で覆われている。この緑化シート５は、椰子繊維等で編まれたネットに、例えば肥料と共に植物の種子がはり付けられているものである。
【００２８】
次にこの本発明の施工例を、図１０に従って説明する。
【００２９】
先ず作業者は、最下段のブロック材１を、河川の上流、下流方向に対して正面１ａ、背面１ｃを向け、横断方向に並べて連結する。次に作業者は、二段目、三段目とブロック材１を止め具４で連結しながら側面視台形状に積み上げ、内部に中詰め材２としての栗石を充填する。そして表面を緑化シート５で覆い、ブロック材１に固定する。
【００３０】
以上の処において、ブロック材１の正面１ａ、背面１ｃの傾斜角は任意である。又ブロック材１は、強度を高めるため、筋交いが設けられているのでも良い。
【００３１】
【発明の効果】
以上説明したように本発明は、枠形状のブロック材を、正面等を面一にさせて側面視台形状に積み上げ、内部に中詰め材を充填しているものである。
従って本発明の場合は、コンクリートを現場で打設したり、間伐材等を井桁状に組み上げて行く場合に比べ、手間暇を軽減できるから、これによれば施工期間の短縮化、労力の低減化、施工コストの低廉化等を図ることができる。
又本発明の枠形状のブロック材は、上記の通り、予め枠形に組立てられ、現場ではこのブロック材を積み上げて連結することで施工できるから、これによれば、簡単、迅速、且つ低コストで堰堤を構築できる。
【図面の簡単な説明】
【図１】本発明堰堤の好適な一実施形態を示す施工時の要部縦断面図である。
【図２】同上堰堤の一部を切欠した要部斜視図である。
【図３】同上堰堤の要部平面図である。
【図４】図３のＩＶ―ＩＶ線における要部断面図である。
【図５】ブロック材の要部斜視図である。
【図６】ブロック材の平面図である。
【図７】ブロック材の正面図である。
【図８】ブロック材の側面図である。
【図９】ブロック材の他の実施形態を示す側面図である。
【図１０】図９のブロック材による本発明堰堤の施工状態を示す側面図である。
【符号の説明】
１    枠形状のブロック材
１ａ  正面
１ｂ  上下、左右の各面
１ｃ  背面
１ｄ  枠材
１ｅ  リブ材
２    中詰め材
３    ネジ
４    止め具
５    緑化シート
６    両側位置
７    通水路
【図１】
2004176395.tif 000003
【図２】
2004176395.tif 000004
【図３】
2004176395.tif 000005
【図４】
2004176395.tif 000006
【図５】
2004176395.tif 000007
【図６】
2004176395.tif 000008
【図７】
2004176395.tif 000009
【図８】
2004176395.tif 000010
【図９】
2004176395.tif 000011
【図１０】
2004176395.tif 000012